(57)【特許請求の範囲】
【請求項１】
装置本体に形成された記録媒体挿入口内に臨み、該記録媒体挿入口の開口周縁部に回動軸を係合させ、該回動軸を中心として回動可能に支持されて当該記録媒体挿入口を閉蓋する蓋体と、
連結部により連結された一対の腕部を有し、当該連結部が上記蓋体の回動軸に設けられると共に、上記一対の腕部が上記蓋体を挟み込むようにして設けられ、当該各腕部の先端が記録媒体挿入口に臨んで設けられるストッパ部を挟持して付勢する捩じりコイルバネとを備え、
当該捩じりコイルバネの少なくとも一方の腕部が、上記連結部から導出される中途部で屈曲された形状をなすと共に、当該屈曲された形状をなす中途部において上記蓋体と接していることを特徴とする記録媒体挿入口用蓋装置。
【発明の詳細な説明】
【０００１】
【産業上の利用分野】
本発明は、記録再生装置に設けられる記録媒体挿入口を開閉する記録媒体挿入口用蓋装置に関する。
【０００２】
【従来の技術】
従来より、ディスクプレーヤやテーププレーヤ等の如く、装置本体内にディスクカートリッジやテープカセット等が挿入され、このディスクカートリッジ，テープカッセトに収納される記録媒体に対して情報信号の記録及び／又は再生を行うように構成された記録再生装置が提案されている。
【０００３】
このような記録再生装置においては、記録媒体は装置本体に形成された記録媒体挿入口を介して、この装置本体の外方側よりその内部へと挿入され、メカデッキに装着されるようになっている。
記録媒体挿入口は、記録再生装置の非使用時においては、装置本体内にほこりやゴミ等の塵埃が入り込まないようにするため、この記録媒体挿入口を塞ぐに足る大きさに形成された蓋体を有した記録媒体挿入口用蓋装置により閉蓋されるようになされている。
【０００４】
この記録媒体挿入口用蓋装置には、大きく分けて２つの機構がある。一つは、蓋体が装置本体に対して内側へのみ回転可能とされ、記録媒体が装置本体内にある間は、蓋体は記録媒体又は装置本体内の機構に固定され、いわゆる半開き状態とされるように構成されたものが挙げられる。
他方は、蓋体が装置本体の内側または外側へ回転可能とされ、その開閉動作の両方若しくは一方が装置本体に付加される別駆動手段によるものがある。
【０００５】
【発明が解決しようとする課題】
ところが、前者の機構では、記録媒体が装置本体内にある間は、蓋体が半開きになっているため、異物が混入したり、外観上美しくない等の問題がある。また、後者の機構では、開閉のための駆動手段による部品点数の増大やそのためのスペースが必要となる。
【０００６】
これらの問題を解決すべく、本願出願人は、先に特願平６−６１０８２号に記載されるような装置を提案している。この装置は、挿入用の蓋体と排出用の蓋体を別々に設け、その一方の蓋体に記録媒体を挿通させるに足る大きさの開口を形成し、その開口を塞ぐ位置と開放する位置とに亘って回動可能となるように他方の蓋体を設けた構成とされている。
【０００７】
この装置では、記録媒体が装置本体内へ挿入されるときには、挿入用の蓋体と排出用の蓋体が共に回動して記録媒体を装置本体内へと挿入せしめ、その後、バネの復元力によりこれら蓋体が元の位置に戻されて記録媒体挿入口が閉塞される。一方、記録媒体が装置本体より排出されるときには、一方の蓋体に対して回動可能に取付けられた排出用の蓋体のみが開いて記録媒体が排出され、その後、やはりバネの復元力により排出用の蓋体が元の位置に戻されて記録媒体挿入口が閉塞される。
【０００８】
このように構成することによって、記録媒体の挿入時又は排出時以外は、記録媒体挿入口が常に閉蓋された状態となり、ほこりやゴミ等の如き塵埃が装置本体内に進入するのを防止でき、良好な記録再生を行うことができる。
しかしながら、この装置では、蓋体に記録媒体を挿通させる開口を形成する必要があることから、記録媒体の厚みに対して蓋体の高さを高くする必要がある。このため、蓋体を開閉するためのスペースを大きくとる必要が生じ、装置本体の大型化を招くことになる。
【０００９】
そこで本発明は、上述の従来の有する技術的な課題に鑑みて提案されたものであって、スペースをとらずしかも複雑な機構としなくても、記録媒体の挿入，排出時以外は記録媒体挿入口を閉塞し、装置本体内への塵埃の挿入を確実に防止することができる記録媒体挿入口用蓋装置を提供することを目的とする。
【００１０】
【課題を解決するための手段】
本発明に係る記録媒体挿入口用蓋装置は、装置本体に形成された記録媒体挿入口内に臨み、該記録媒体挿入口の開口周縁部に回動軸を係合させ、該回動軸を中心として回動可能に支持されて当該記録媒体挿入口を閉蓋する蓋体と、連結部により連結された一対の腕部を有し、当該連結部が上記蓋体の回動軸に設けられると共に、上記一対の腕部が上記蓋体を挟み込むようにして設けられ、当該各腕部の先端が記録媒体挿入口に臨んで設けられるストッパ部を挟持して付勢する捩じりコイルバネとを備え、当該捩じりコイルバネの少なくとも一方の腕部が、上記連結部から導出される中途部で屈曲された形状をなすと共に、当該屈曲された形状をなす中途部において上記蓋体と接していることを特徴とする。
【００１１】
【作用】
本発明では、装置本体に形成された記録媒体挿入口を閉塞する蓋体に、連結部により連結された一対の腕部を有した弾性部材を次のようにして設けている。すなわち、連結部を蓋体の回動軸に設けると共に、一対の腕部を蓋体を挟み込むようにして設け、しかもその腕部の先端を記録媒体挿入口に臨んで設けられる突起部を挟持するように付勢しているので、記録媒体が記録媒体挿入口へ挿入されると、挿入される記録媒体によって蓋体が装置本体側に設けられた一方の腕部の付勢力に抗して挿入方向へ回転せしめられ、記録媒体が装置本体内に挿入されたところで、この弾性部材の復元力により蓋体が記録媒体挿入口を閉蓋する位置へと回転せしめられる。
【００１２】
一方、記録媒体が装置本体の外へ排出されるときには、排出される記録媒体によって蓋体が外側に設けられた他方の腕部の付勢力に抗して排出方向へ回転せしめられ、該記録媒体が装置本体より排出されたところで、この弾性部材の復元力により該蓋体が記録媒体挿入口を閉蓋する位置へと回転せしめられる。
従って、この装置では、記録媒体が装置本体に挿入される時と、装置本体より排出される時以外は、蓋体によって記録媒体挿入口が常に閉蓋された状態となり、該装置本体内へのほこりやゴミ等の如き塵埃の進入が防止される。
【００１３】
【実施例】
以下、本発明を適用した具体的な実施例について図面を参照しながら詳細に説明する。本実施例は、着脱式の操作パネルを備えた車載用のディスクプレーヤに本発明を適用した例である。
かかるディスクプレーヤは、図１に示すように、記録再生手段を内蔵した装置本体１と、この装置本体１の前面側に設けられる操作パネル２と、この操作パネル２を着脱自在とするパネル受け部３とから構成される。
【００１４】
装置本体１は、一側面が開放された長方体をなす外筐体として形成され、その内部に記録再生手段を内蔵している。そして、その開放された一側面は、操作パネル２を着脱自在とするパネル着脱機構部４を備えたパネル受け部３によって閉塞されている。
操作パネル２は、パネル受け部３に設けられたパネル着脱機構部４により、このパネル受け部３に対して取り外し可能とされている。この操作パネル２には、液晶表示部５や各種操作ボタン６、ディスクカートリッジを出し入れするためのカートリッジ挿脱口７が形成されている。
【００１５】
そして、このカートリッジ挿脱口７と相対向するパネル受け部３には、記録媒体挿入口用蓋装置が設けられている。かかる記録媒体挿入口用蓋装置は、パネル受け部３に開設された記録媒体挿入口８を、ディスクカートリッジが挿入又は排出されるときのみ開きそれ以外のときは閉蓋するように構成された蓋体９と弾性部材１０とから構成されている。
【００１６】
蓋体９は、ディスクカートリッジが出し入れされるに足る大きさの開口として形成された記録媒体挿入口８を、閉塞するに足る大きさをなす板状体として形成されている。そして、この蓋体９は、図２及び図３に示すように、記録媒体挿入口８内に臨んで設けられ、その長手方向における一側縁の両端部にそれぞれ設けられた回動軸１１（一方の回動軸は図示を省略する。）を、この記録媒体挿入口８の開口周縁部に設けられる軸受け部に係合させることにより、この回動軸１１を中心として回動可能に取付けられている。
【００１７】
なお、図２は操作パネル側から見た図であり、図３は装置本体側から見た図である。
弾性部材１０は、バネ性を有する線材を複数回巻回して円柱状となした連結部１２と、この連結部１２により連結された一対の腕部１３，１４を有した、いわゆる捩じりコイルバネからなる。これら腕部１３，１４のうち、一方の腕部１３は、連結部１２から導出される中途部で直角に屈曲された，いわゆるクランク形状とされ、記録媒体挿入口８に臨んで設けられる突起部としてのストッパ部１５に対してディスクカートリッジ挿入側に設けられている。これに対して、他方の腕部１４は、連結部１２から導出される先端部分が屈曲された略Ｌ字形状として形成され、ストッパ部１５に対してディスクカートリッジ排出側に設けられている。
【００１８】
そして、この弾性部材１０は、連結部１２が回動軸１１に挿通されることにより蓋体９に取付けられ、しかも一対の腕部１３，１４が蓋体９を挟み込むようにして設けられると共に、その各腕部１３，１４の先端部１３ａ，１４ａがストッパ部１５を挟持する方向にそれぞれ付勢するようになされている。
その一方の腕部１３の先端部１３ａは、ディスクカートリッジ挿入側のストッパ部１５に設けられた凹部１６の底面に接触するようになされている。これに対して、他方の腕部１４の先端部１４ａは、ディスクカートリッジ排出側のストッパ部１５に接触するようになされている。
【００１９】
ところで、ストッパ部１５は、図６に示すように、蓋体９の厚みａよりもその厚みｂが厚くされている。このため、蓋体９が同図（ａ）に示す記録媒体挿入口８を閉塞する中立状態のときには、一対の腕部１３，１４は蓋体９に接触せず、その先端部１３ａ，１４ａのみがストッパ部１５に接触しており、該ストッパ部１５の厚みｂと蓋体９の厚みａの差であるクリアランス分だけ、当該蓋体９が回動可能となされている。
【００２０】
以上のようにして構成された記録媒体挿入口用蓋装置においては、図４及び図５に示すディスクカートリッジ１６が装置本体１内へ挿入される時と、装置本体１外へ排出される時のみ蓋体９が開き、それ以外のときには蓋体９は常に閉蓋された状態とされる。この動作を、ディスクカートリッジ１６を挿入する場合と排出する場合で分けて説明する。
【００２１】
（Ａ）ディスクカートリッジ１６を装置本体１内に挿入する場合
図６（ａ）に示す蓋体９が記録媒体挿入口８を閉塞した中立状態からディスクカートリッジ１６を装置本体１内へと挿入すると、同図（ｂ）に示すように、このディスクカートリッジ１６によって蓋体９が挿入方向へと回転せしめられる。このとき、弾性部材１０は、ディスクカートリッジ挿入側の腕部１３がストッパ部１５に押し付けられた状態で、他方の腕部１４のみが蓋体９と共に回転して巻き上げられて行く。そして、ディスクカートリッジ１６が記録媒体挿入口８を通過して装置本体１内に挿入されると、蓋体９は巻き上げられたトルクにより、その蓋体９に接する腕部１４及び連結部１２の弾発力（復元力）によって再び同図（ａ）で示す中立状態に戻され、記録媒体挿入口８を閉塞する。
【００２２】
（Ｂ）ディスクカートリッジ１６を装置本体１より排出する場合
図７（ａ）に示す装置本体１内にディスクカートリッジ１６がある状態からディスクカートリッジ１６を装置本体１の外へと排出すると、同図（ｂ）に示すように、このディスクカートリッジ１６によって蓋体９が排出方向へと回転せしめられる。このとき、弾性部材１０は、ディスクカートリッジ排出側の腕部１４がストッパ部１５に押し付けられた状態で、他方の腕部１３のみが蓋体９と共に回転して巻き上げられて行く。そして、ディスクカートリッジ１６が記録媒体挿入口８を通過して装置本体１外へ排出されると、蓋体９は巻き上げられたトルクにより、その蓋体９に接する腕部１３及び連結部１２の弾発力（復元力）によって再び同図（ａ）に示す中立状態に戻され、記録媒体挿入口８を閉塞する。
【００２３】
このように、ディスクカートリッジ１６の挿入時と排出時以外は、蓋体９が常に記録媒体挿入口８を閉塞した状態にあることから、ほこりやゴミ等の如き塵埃の装置本体１内への挿入が防止される。また、ディスクカートリッジ１６の装着時のときでも記録媒体挿入口８が閉塞された状態にあることから、見た目にもよいデザインとなる。
【００２４】
上述の実施例では、弾性部材１０として捩じりコイルバネを用いたが、本発明の要旨を逸脱しない範囲で種々の変更が可能で、例えば板バネにより弾性部材１０を構成しても同様の作用効果を得ることができる。
【００２５】
【発明の効果】
以上の説明から明らかなように、本発明の記録媒体挿入口用蓋装置においては、構造が簡単な捩りコイルバネを用い、これを蓋体に対してそのバネの一対の腕部を連結する連結部を該蓋体の回動軸に取付けると共に、一対の腕部を蓋体を挟み込むようにして設け、且つ、その腕部の先端を記録媒体挿入口に臨むストッパ部に接するように、しかもこのストッパ部１５を挟み込む方向に付勢するようにして設けているので、ディスクカートリッジが装置本体内へ挿入する時と、装置本体外へ排出される時以外は、記録媒体挿入口が蓋体により閉蓋される。従って、簡単な構成で、しかもスペースを広く必要としなくても、ほこりやゴミ等の如き塵埃の装置本体内への進入を確実に防止することができ、また外観上のデザイン性も高めることができる。
【図面の簡単な説明】
【図１】ディスクプレーヤの操作パネルを取り外した状態を示す分解斜視図である。
【図２】ディスクカートリッジ挿入側より見た記録媒体挿入口用蓋装置の要部拡大正面図である。
【図３】ディスクカートリッジ排出側より見た記録媒体挿入口用蓋装置の要部拡大正面図である。
【図４】ディスクカートリッジを装置本体に挿入する状態を示す断面図である。
【図５】ディスクカートリッジを装置本体より排出する状態を示す断面図である。
【図６】ディスクカートリッジを装置本体に挿入する状態を示すもので、（ａ）は挿入前の状態を示す断面図、（ｂ）は挿入途中の状態を示す断面図である。
【図７】ディスクカートリッジを装置本体より排出する状態を示すもので、（ａ）は排出する前の状態を示す断面図、（ｂ）は排出途中の状態を示す断面図である。
【符号の説明】
１  装置本体
２  操作パネル
３  パネル受け部
８  記録媒体挿入口
９  蓋体
１０  弾性部材
１１  回動軸
１２  連結部
１３，１４  腕部
１５  ストッパ部
１６  ディスクカートリッジ
【図１】
0003582114.tif 000002
【図２】
0003582114.tif 000003
【図３】
0003582114.tif 000004
【図４】
0003582114.tif 000005
【図５】
0003582114.tif 000006
【図６】
0003582114.tif 000007
【図７】
0003582114.tif 000008